(57)【要約】【課題】本発明は、免震レトロフィット工事における鉛直荷重の仮受け方法に関し、従来の鉛直荷重の仮受け方法ではコンクリートの養生期間が必要で工期が長くなり、これを撤去する費用も嵩むことが課題であって、それを解決することである。【解決手段】建物の既存柱の一部を切断した箇所に免震装置を設置する際に、前記建物の軸力を仮受けする仮受け部材を当該既存柱に貫通させた圧着部材で圧着し、前記既存柱に掛かる軸力を前記仮受け部材および該仮受け部材に載置したジャッキで一旦仮受けする仮受け方法において、前記仮受け部材を、前記柱に設置する状態で予め上下に分割した状態、若しくは、左右に分割した状態で、予め工場でプレキャストコンクリートブラケット３ａ，３ｂにして形成しておくこととした免震レトロフィット工事における鉛直荷重の仮受け方法である。【選択図】図１
2015129425.tif 000002
【特許請求の範囲】
【請求項１】
建物の既存柱の一部を切断した箇所に免震装置を設置する際に、
前記建物の軸力を仮受けする仮受け部材を当該既存柱に貫通させた圧着部材で圧着し、
前記既存柱に掛かる軸力を前記仮受け部材および該仮受け部材に載置したジャッキで一旦仮受けする仮受け方法において、
前記仮受け部材を、前記柱に設置する状態で予め上下に分割した状態、若しくは、左右に分割した状態で、予め工場でプレキャストコンクリートブラケットにして形成しておくこと、
を特徴とする免震レトロフィット工事における鉛直荷重の仮受け方法。
【請求項２】
仮受け部材が上下に分割したプレキャストコンクリートブラケットである場合に、そのブラケットの水平方向の分割面は、既存柱に上下のプレキャストコンクリートブラケットを設置した状態でこれらを側面視して、上側のプレキャストコンクリートブラケットの上面で軸力の掛かる位置と下側のプレキャストコンクリートブラケットの下部の内側角部を結んだ仮想線に対して直交する傾斜面となっていること、
を特徴とする請求項１に記載の免震レトロフィット工事における鉛直荷重の仮受け方法。
【請求項３】
プレキャストコンクリートブラケットにおける既存柱との接合面には、該接合面と対向した既存柱の接合面との間に介在する高強度モルタルに突出するシアキーが突設されていること、
を特徴とする請求項１または２に記載の免震レトロフィット工事における鉛直荷重の仮受け方法。
【請求項４】
仮受け部材が上下に分割したプレキャストコンクリートブラケットである場合に、分割された上下のプレキャストコンクリートブラケットを、水平方向の圧着材のみで既存柱に設置すること、
を特徴とする請求項１乃至３のいずれか１項に記載の免震レトロフィット工事における鉛直荷重の仮受け方法。
【請求項５】
建物の既存柱の一部を切断した箇所に免震装置を設置する際に、前記既存柱の軸力を仮受けする仮受け部材を、該仮受け部材と前記既存柱の表面との間に高強度モルタルを充填・固化させて、当該既存柱に貫通させた圧着部材で圧着して、建物の荷重を前記仮受け部材および該仮受け部材に載置したジャッキで一旦仮受けする仮受け構造において、
前記仮受け部材が、前記柱に設置する状態で予め上下に分割した状態、若しくは、左右に分割した状態で、予め工場で小型化・軽量化されて形成されたプレキャストコンクリートブラケットであること、
を特徴とする免震レトロフィット工事における鉛直荷重の仮受け構造。
【請求項６】
仮受け部材が上下に分割したプレキャストコンクリートブラケットである場合に、そのブラケットの水平方向の分割面は、柱に上下のプレキャストコンクリートブラケットを設置した状態でこれらを側面視して、上側のプレキャストコンクリートブラケットの上面で軸力の掛かる位置と下側のプレキャストコンクリートブラケットの下部の内側角部を結んだ仮想線に対して直交する傾斜面となっていること、
を特徴とする請求項５に記載の免震レトロフィット工事における鉛直荷重の仮受け構造。
【請求項７】
プレキャストコンクリートブラケットにおける既存柱との接合面には、該接合面と対向した既存柱の接合面との間に介在する高強度モルタルに突出するシアキーが突設されていること、
を特徴とする請求項５または６に記載の免震レトロフィット工事における鉛直荷重の仮受け構造。
【請求項８】
仮受け部材が上下に分割したプレキャストコンクリートブラケットである場合に、分割された上下のプレキャストコンクリートブラケットが、水平方向の圧着材のみで既存柱に設置されていること、
を特徴とする請求項５乃至７のいずれか１項に記載の免震レトロフィット工事における鉛直荷重の仮受け構造。
【発明の詳細な説明】
【技術分野】
【０００１】
本発明は、例えば、既存建物の中間層における柱などに免震装置を新しく入れたり、免震装置を交換したり等する場合の、免震レトロフィット工事における鉛直荷重の仮受け方法と仮受け構造に関するものである。
【背景技術】
【０００２】
従来、免震レトロフィットの鉛直荷重の仮受けは、免震装置を新規に設置する既存柱に作用する鉛直軸力を、そのまま受けかえるため、数千ｋＮ以上の大きな荷重を支えることになる。また、仮受けする方法も、直接、仮設支柱で軸力を受ける他に、鋼製や鉄筋コンクリート（ＲＣ）の荷重受けブラケットを既存躯体にＰＣ鋼材で圧着するものまで多彩である。例えば、図４（Ａ）に示すように、ＲＣブラケットの例として特許文献１に記載の免震装置設置方法が知られている。また、図４（Ｂ）に示すように、鋼製ブラケットの例としては、特許文献２に記載の免震化工法、その他、特許文献３に記載の免震装置の設置方法（図示せず）が知られている。
【先行技術文献】
【特許文献】
【０００３】
【特許文献１】特開２００１−４９８７３号公報
【特許文献２】特許第３７２５８１８号公報
【特許文献３】特開２００２−２２７４２５号公報
【発明の概要】
【発明が解決しようとする課題】
【０００４】
しかし、従来の免震レトロフィット工事における鉛直荷重の仮受け方法においては、例えば、前記鋼製ブラケットの例では、剛性が低く、負担できる軸力は８００ｔ未満である。また、ＲＣブラケットの例では、剛性は高いものの、設置するのにコンクリートの養生期間が必要で工期が長くなる。更に、前記ＲＣブラケットに係るコンクリートを撤去するために、費用が掛かると言う課題がある。本発明に係る免震レトロフィット工事における鉛直荷重の仮受け方法は、このような課題を解決するために提案されたものである。
【課題を解決するための手段】
【０００５】
本発明に係る免震レトロフィット工事における鉛直荷重の仮受け方法の上記課題を解決して目的を達成するための要旨は、建物の既存柱の一部を切断した箇所に免震装置を設置する際に、前記建物の軸力を仮受けする仮受け部材を当該既存柱に貫通させた圧着部材で圧着し、前記既存柱に掛かる軸力を前記仮受け部材および該仮受け部材に載置したジャッキで一旦仮受けする仮受け方法において、前記仮受け部材を、前記柱に設置する状態で予め上下に分割した状態、若しくは、左右に分割した状態で、予め工場でプレキャストコンクリートブラケット（ＰＣａと記載することあり、以下、同じ）にして形成しておくことである。
【０００６】
前記仮受け部材が上下に分割したプレキャストコンクリートブラケットである場合に、そのブラケットの水平方向の分割面は、既存柱に上下のプレキャストコンクリートブラケットを設置した状態でこれらを側面視して、上側のプレキャストコンクリートブラケットの上面で軸力の掛かる位置と下側のプレキャストコンクリートブラケットの下部の内側角部を結んだ仮想線に対して直交する傾斜面となっていることである。
【０００７】
前記プレキャストコンクリートブラケットにおける既存柱との接合面には、該接合面と対向した既存柱の接合面との間に介在する高強度モルタルに突出するシアキーが突設されていることである。
【０００８】
前記仮受け部材が上下に分割したプレキャストコンクリートブラケットである場合に、分割された上下のプレキャストコンクリートブラケットを、水平方向の圧着材のみで既存柱に設置することを含むものである。
【０００９】
本発明に係る免震レトロフィット工事における鉛直荷重の仮受け構造の上記課題を解決して目的を達成するための要旨は、建物の既存柱の一部を切断した箇所に免震装置を設置する際に、前記既存柱の軸力を仮受けする仮受け部材を、該仮受け部材と前記既存柱の表面との間に高強度モルタルを充填・固化させて、当該既存柱に貫通させた圧着部材で圧着して、建物の荷重を前記仮受け部材および該仮受け部材に載置したジャッキで一旦仮受けする仮受け構造において、前記仮受け部材が、前記柱に設置する状態で予め上下に分割した状態、若しくは、左右に分割した状態で、予め工場で小型化・軽量化されて形成されたプレキャストコンクリートブラケットであることである。
【００１０】
前記仮受け部材が上下に分割したプレキャストコンクリートブラケットである場合に、そのブラケットの水平方向の分割面は、柱に上下のプレキャストコンクリートブラケットを設置した状態でこれらを側面視して、上側のプレキャストコンクリートブラケットの上面で軸力の掛かる位置と下側のプレキャストコンクリートブラケットの下部の内側角部を結んだ仮想線に対して直交する傾斜面となっていることである。
【００１１】
前記プレキャストコンクリートブラケットにおける既存柱との接合面には、該接合面と対向した既存柱の接合面との間に介在する高強度モルタルに突出するシアキーが突設されていることである。
【００１２】
前記仮受け部材が上下に分割したプレキャストコンクリートブラケットである場合に、分割された上下のプレキャストコンクリートブラケットが、水平方向の圧着材のみで既存柱に設置されていることである。
【発明の効果】
【００１３】
本発明の免震レトロフィット工事における鉛直荷重の仮受け方法とその構造によれば、小型化・軽量化されたＰＣａブラケットを使用するので、高軸力（８０００ｋＮ以上）の免震レトロフィット工事が可能となる。また、ＰＣａブラケットを使用することで、ＲＣブラケットに比べて強度発現までの養生時間が省略され、現場の作業時間を短縮できる。このほか、前記ＰＣａブラケットにして分割されていることで、軽くて取り扱いやすくなり、現場の施工性が向上する。更に、ＰＣａブラケットを撤去することも容易になると言う優れた効果を奏するものである。
【図面の簡単な説明】
【００１４】
【図１】本発明に係る免震レトロフィット工事における鉛直荷重の仮受け構造で、仮受け部材を水平方向に分割した例の一部拡大斜視図である。
【図２】同本発明の免震レトロフィット工事における鉛直荷重の仮受け構造で、仮受け部材を水平方向に分割した例の一部側面図である。
【図３】本発明に係る免震レトロフィット工事における鉛直荷重の仮受け構造で、仮受け部材を垂直方向に分割した例の一部拡大斜視図である。
【図４】従来例に係る免震レトロフィット工事を示す、ＲＣブラケットの例を示す側面図（Ａ）、鋼製ブラケットの例を示す側面図（Ｂ）である。
【発明を実施するための形態】
【００１５】
本発明に係る免震レトロフィット工事における鉛直荷重の仮受け方法は、図１に示すように、分割したＰＣａブラケット３ａ，３ｂを、若しくは、図３に示すように、分割したＰＣａブラケット３ｄを使用するものである。
【実施例１】
【００１６】
本発明に係る免震レトロフィット工事においては、図１に示すように、建物の既存柱２の一部を切断した箇所に、免震装置１０を設置する工事である。その際に、前記建物の荷重を仮受けする仮受け部材（ＰＣａブラケット３ａ，３ｂ）を、該仮受け部材と前記既存柱２の表面との間に高強度モルタル４を充填・固化させて、当該既存柱２に貫通させた圧着部材（ＰＣ鋼棒７）で圧着し、建物の既存柱に掛かる軸力を前記仮受け部材および該仮受け部材に載置したジャッキ９で、一旦仮受けする鉛直荷重の仮受け方法である。
【００１７】
上記鉛直荷重の仮受け方法の手順を説明する。まず、工場（場合によってはサイト）等においてＰＣａブラケット３ａ，３ｂを形成する。前記仮受け部材であるＰＣａブラケット３ａ，３ｂを、前記既存柱２に設置する状態において、予め上下に分割した状態で、小型化・軽量化したプレキャストコンクリートブラケットとして形成しておくものである。
【００１８】
そして、前記仮受け部材が上下に分割した、上側のＰＣａブラケット３ａ，下側のＰＣａブラケット３ｂである場合に、図２に示すように、そのブラケットの水平方向の分割面３ｃは、既存柱２に上下のＰＣａブラケット３ａ，３ｂを設置した状態で、これらを側面視して、上側のＰＣａブラケット３ａの上面で軸力の掛かる位置と、下側のＰＣａブラケット３ｂの下部の内側角部を結んだ仮想線８に対して直交する傾斜面となっている。
【００１９】
前記分割面３ｃを傾斜させたのは、増設柱２，既存柱２ａに掛かる軸力を仮受けする際に、実際に仮受け部材（ＰＣａブラケット）に掛かる軸力に対して、上側のＰＣａブラケット３ａ，下側のＰＣａブラケット３ｂの分割面３ｃにおいて、軸力に対して垂直な面になるようにするためである。
【００２０】
また、ＰＣａブラケット３ａ，３ｂにおける既存柱２との接合面には、該接合面と対向した既存柱２の接合面との間に介在させる高強度モルタル４に突出すべく、シアキー５が適宜の数・配置にて突設されている。
【００２１】
前記シアキー５により、すべり破壊面が高強度モルタル４と既存柱２との接合面になる。また、ＰＣａブラケット３ａ，３ｂに、ＰＣ鋼棒挿通用の貫通孔を水平方向と垂直方向とに形成しておく。このように、予めＰＣａブラケット３ａ，３ｂを工場で製作しておき、現場へトラック等で運搬・搬入する。
【００２２】
次に、建物の既存柱２ａにおいて、鉛直荷重を仮受けするための補強を行う。それには、図１に示すように、既存柱２ａにＰＣ鋼棒用の孔を水平に穿孔する工事を行う。そして、その後、前記既存柱２ａの柱頭において、油圧ジャッキ９を受けるためにキャピタルを増設する。また、増設柱２にＰＣ鋼棒用の鞘管を既存柱２ａに穿孔した孔に合わせて設置しておいて、柱脚に補強コンクリートを打設して、既存柱２ａを増設し「フカシ」を施工する。こうして増設柱２を形成する。
【００２３】
前記キャピタルのコンクリートが固化して所定の強度に達した後、ポストテンション方式で埋設しておいた緊張材をジャッキで引張り、所定の張力を導入してプレストレスを付与する。
【００２４】
次に、前記ＰＣａブラケット３ａ，３ｂを現場に搬入して、増設柱２の鞘管に前記ＰＣ鋼棒７を挿通させて、当該ＰＣａブラケット３ａ，３ｂを前記既存柱２に設置する。また、図２に示すように同時に、ＰＣａブラケット３ａ，３ｂにおける上下方向の貫通孔に貫通させるＰＣ鋼棒６によって、水平方向に分割した当該ＰＣａブラケット３ａ，３ｂ同士を、プレート６ａ，定着ナット６ｂで締め付けることで、圧着し一体化する。
【００２５】
更に、図２に示すように、このＰＣａブラケット３ａ，３ｂと増設柱２との隙間（一例として２０〜３０ｍｍ程度）に、間隙維持用のスペーサ等を挟んでおき、更に、モルタル用の型枠を前記隙間の周囲に組んだ後、高強度モルタル４を充填する。
【００２６】
前記増設柱２と高強度モルタル４とが、所定の強度に達した後、前記ＰＣ鋼棒７をジャッキで引張り、所定の張力を導入する。これによりＰＣａブラケット３ａ，３ｂと増設柱２との摩擦力で、上部架構の軸力が支持可能となる。その後、前記ＰＣａブラケット３ａの上に油圧ジャッキ９を必要数設置する。
【００２７】
前記油圧ジャッキ９を稼動させてジャッキアップし、建物の上部架構の長期軸力を、前記ＰＣａブラケット３ａ，３ｂを介して、増設柱２と既存柱２ａに支持させる。その後、増設柱２から上部に露出している既存柱２ａをワイヤーソーで切断する。
【００２８】
前記既存柱２ａの切断箇所に、新しい免震装置１０を所定の位置に設置する。更に、免震装置１０の上下に、補強部を設け、該補強部に補強コンクリート２ｂ，２ｃを打設する。このコンクリートが硬化した後に、隙間部にグラウトを注入する。
【００２９】
前記補強部の補強コンクリート２ｂ，２ｃと、隙間部のグラウトとが所定の強度に達した後、油圧ジャッキ９のジャッキダウンを行う。これにより、建物の上部架構の長期軸力が免震装置１０に移行する。
【００３０】
次に、ＰＣ鋼棒６，７の定着ナット６ｂ，７ｂを弛緩して外し、ＰＣａブラケット３ａ，３ｂを増設柱２から撤去する。ＰＣ鋼棒７を撤去した後の増設柱２，既存柱２ａにおける孔に、グラウトを充填する。このようにして、上記の仮受け構造１による鉛直荷重の仮受け方法が完了する。
【実施例２】
【００３１】
鉛直荷重の仮受け構造１の他の実施例として、図３に示すように、垂直方向に分割面３ｅで分割したＰＣａブラケット３ｄを用いた構造がある。このような垂直方向に分割して小型化、軽量化を図ることで、免震装置１０の設置が容易となるものである。
【実施例３】
【００３２】
このほか、鉛直荷重の仮受け方法の他の実施例として、仮受け部材が上下に分割したＰＣａブラケット３ａ，３ｂである場合に、当該上下のＰＣａブラケット３ａ，３ｂを、水平方向の圧着材であるＰＣ鋼棒７のみで増設柱２，既存柱２ａに設置する。即ち、ＰＣａブラケット３ａ，３ｂ同士を上下方向に圧着するＰＣ鋼棒６を省く方法である。
【００３３】
図２において、ＰＣ鋼棒６は、水平方向のＰＣ鋼棒７によって張力が導入されると、実質的に不要となる。従って、ＰＣ鋼棒６が不要となって材料費が低減され、取付、引張等の施工が不要となって、工期も短縮される。
【産業上の利用可能性】
【００３４】
本発明に係る免震レトロフィット工事における鉛直荷重の仮受け方法とその仮受け構造によれば、仮受け部材のＰＣａブラケットを分割して小型化して施工できるので、建物の中間層の既存柱、若しくは基礎に対して免震装置を新たに設置する場合に限らず、新旧の免震装置を交換する場合にも適用できるものである。
【符号の説明】
【００３５】
１          仮受け構造、
２          増設柱、              ２ａ        既存柱、
３ａ，３ｂ  水平方向に分割したＰＣａブラケット、
３ｃ        分割面、
３ｄ        垂直方向に分割したＰＣａブラケット、
３ｅ        分割面、
４          高強度モルタル、
５          シアキー、
６          ＰＣ鋼棒、
７          ＰＣ鋼棒、
８          仮想線、
９          油圧ジャッキ、
１０        免震装置、
１１        キャピタル。
【図１】
2015129425.tif 000003
【図２】
2015129425.tif 000004
【図３】
2015129425.tif 000005
【図４】
2015129425.tif 000006